(57)【要約】【課題】後段の水処理施設における汚染物質の処理負荷を低減することができる浸出水処理方法および浸出水処理システムを提供する。【解決手段】底部集水管２Ａの周囲に吸着マット２０を配置して吸着部３０を形成し、浸出水Ｗｃ，Ｗｂを集水する過程において、浸出水Ｗｃ，Ｗｂを吸着部３０に接触させ、浸出水Ｗｃ，Ｗｂに含まれる汚染物質を吸着材２１に吸着させる。吸着マット２０の吸着材２１は、透水性を有する繊維基材の上部シート２２Ａと下部シート２２Ｂとによって挟まれているため、浸出水Ｗｃ，Ｗｂは支障なく吸着材２１に到達する。よって、底部集水管２Ａにより集水した後の浸出水Ｗａにおいて、汚染物質の含有濃度を低減し、後段の水処理施設１０における汚染物質の処理負荷を低減する。【選択図】図２
2015127045.tif 000002
【特許請求の範囲】
【請求項１】
埋立処分場における浸出水処理方法であって、
前記埋立処分場内に、周壁を貫通する孔部が形成された集水管を設置する工程と、
前記集水管の周囲および前記集水管内の少なくとも一方に、吸着材と透水性を有する繊維基材とが積層されてなる吸着マットを配置して吸着部を形成する工程と、
前記埋立処分場に埋め立てられた埋立対象物から浸出する浸出水を前記集水管により集水する過程において前記吸着部に接触させ、当該浸出水に含まれる汚染物質を前記吸着材に吸着させる工程と、を含むことを特徴とする浸出水処理方法。
【請求項２】
前記吸着材は、重金属、揮発性有機化合物、および放射性物質のいずれかの吸着特性を有し、
前記吸着部を形成する工程では、前記吸着マットを前記集水管の外周に巻きつける、請求項１に記載の浸出水処理方法。
【請求項３】
前記吸着部を形成する工程では、前記集水管の延在方向において前記吸着部の吸着能力が変化するように前記吸着マットを配置する、請求項１または２に記載の浸出水処理方法。
【請求項４】
前記吸着部を形成する工程では、前記集水管を流通する浸出水量が大きい箇所ほど前記吸着部の吸着能力が高くなるように前記吸着マットを配置する、請求項１〜３のいずれか一項に記載の浸出水処理方法。
【請求項５】
前記集水管には、前記浸出水を集水する集水方向が設定されており、
前記吸着部を形成する工程では、前記集水方向の上流側に比して、前記集水方向の下流側において前記吸着部の吸着能力が高くなるように前記吸着マットを配置する、請求項１〜４のいずれか一項に記載の浸出水処理方法。
【請求項６】
前記埋立対象物が埋め立てられた後、前記吸着マットを埋め殺しにする、請求項１〜５のいずれか一項に記載の浸出水処理方法。
【請求項７】
埋立処分場における浸出水処理システムであって、
前記埋立処分場内に設置され、周壁を貫通する孔部が形成された集水管と、
前記集水管の周囲および前記集水管内の少なくとも一方に配置され、吸着材と透水性を有する繊維基材とが積層されてなる吸着マットと、を備えることを特徴とする浸出水処理システム。
【発明の詳細な説明】
【技術分野】
【０００１】
本発明は、埋立処分場における浸出水処理方法および浸出水処理システムに関する。
【背景技術】
【０００２】
従来、下記特許文献１に記載されるように、油により汚染された土壌を浄化する土壌浄化方法が知られている。この土壌浄化方法では、周面に孔を有する有孔管を地中に埋設し、この有孔管の外周面に油吸着材を設けている。そして、有孔管の孔を経由して油を吸引することにより、油吸着材に油を吸着させている。さらには、有孔管の孔を通して、油を分解する微生物を油吸着材に供給している。
【先行技術文献】
【特許文献】
【０００３】
【特許文献１】特開２００９−２２００８９号公報
【発明の概要】
【発明が解決しようとする課題】
【０００４】
ところで、廃棄物の埋立処分場においては、降雨等により、廃棄物に含まれる汚染物質（たとえば自然由来の重金属や放射性物質等）が浸出水に溶出し、浸出水は汚染物質を含んだ汚染水となる。このような浸出水は、有孔管により集水された後、水処理施設等において処理される。
【０００５】
上記特許文献１のように、油により汚染された土壌をオンサイトで浄化する技術は知られているが、埋立処分場においては、いったん集水した浸出水を水処理施設によって処理することが前提とされているため、集水しながらの処理は想定されていない。土壌と埋立処分場とではあらゆる面で条件が異なるため、従来の技術を埋立処分場に単に適用しても、汚染物質を効率的に除去することは難しい。そのため、後段の水処理施設における汚染物質の処理負荷を低減することは難しかった。
【０００６】
本発明は、浸出水を集水しつつ汚染物質を除去することにより、後段の水処理施設における汚染物質の処理負荷を低減することができる浸出水処理方法および浸出水処理システムを提供することを目的とする。
【課題を解決するための手段】
【０００７】
本発明は、埋立処分場における浸出水処理方法であって、埋立処分場内に、周壁を貫通する孔部が形成された集水管を設置する工程と、集水管の周囲および集水管内の少なくとも一方に、吸着材と透水性を有する繊維基材とが積層されてなる吸着マットを配置して吸着部を形成する工程と、埋立処分場に埋め立てられた埋立対象物から浸出する浸出水を集水管により集水する過程において吸着部に接触させ、当該浸出水に含まれる汚染物質を吸着材に吸着させる工程と、を含むことを特徴とする。
【０００８】
この浸出水処理方法によれば、埋立処分場内に埋め立てられた埋立対象物から浸出する浸出水が、集水管の孔部を通じて集水管内に集水される。この浸出水は、汚染物質を含むため、集水管の後段に設置された水処理施設によって処理される。本発明に係る浸出水処理方法では、集水管の周囲および集水管内の少なくとも一方に吸着マットが配置されることにより、吸着部が形成される。そして、浸出水を集水する過程において、浸出水は吸着部に接触し、浸出水に含まれる汚染物質が吸着材に吸着される。吸着マットは透水性を有する繊維基材を含むため、浸出水は支障なく吸着材に到達する。従って、集水管により集水された後の浸出水においては、汚染物質の含有濃度が低減されている。このようにして、浸出水を集水しつつ汚染物質を除去することにより、後段の水処理施設における汚染物質の処理負荷を低減することができる。
【０００９】
また、上記の浸出水処理方法において、吸着材は、重金属、揮発性有機化合物、および放射性物質のいずれかの吸着特性を有し、吸着部を形成する工程では、吸着マットを集水管の外周に巻きつける。この場合、埋立処分場に埋め立てられる埋立対象物の汚染の種類に応じた吸着材を採用することにより、適切かつ確実な吸着処理が可能となる。さらには、集水管の孔部を覆うようにして吸着マットが配置されるため、集水される浸出水と吸着材との接触機会が増大し、上記した汚染物質の吸着効率すなわち除去率が高められる。
【００１０】
また、上記の浸出水処理方法において、吸着部を形成する工程では、集水管の延在方向において吸着部の吸着能力が変化するように吸着マットを配置する。集水管の延在方向の位置に応じて、集水される浸出水の汚染物質の濃度は異なることが考えられる。汚染物質の濃度に応じて吸着部の吸着能力が変化するように吸着マットを配置すれば、汚染物質をより効果的に吸着除去することができる。ここで、吸着部の吸着能力とは、集水管の所定の箇所に対する吸着材量、単位吸着材あたりの吸着容量、または吸着材の充填密度等、吸着部における種々の要素を総称する意である。
【００１１】
また、上記の浸出水処理方法において、吸着部を形成する工程では、集水管を流通する浸出水量が大きい箇所ほど吸着部の吸着能力が高くなるように吸着マットを配置する。この場合、浸出水量が大きい箇所ほど吸着部の吸着能力が高められるので、汚染物質をより効果的に吸着除去することができる。
【００１２】
また、上記の浸出水処理方法において、集水管には、浸出水を集水する集水方向が設定されており、吸着部を形成する工程では、集水方向の上流側に比して、集水方向の下流側において吸着部の吸着能力が高くなるように吸着マットを配置する。通常、集水方向に浸出水を集水する場合、下流側ほど、集水管を流通する浸出水量は大きくなる。集水方向の上流側に比して、下流側の方において吸着部の吸着能力が高められることにより、汚染物質をより効果的に吸着除去することができる。
【００１３】
また、上記の浸出水処理方法において、埋立対象物が埋め立てられた後、吸着マットを埋め殺しにする。従来、汚染物質を含む浸出水は、水処理施設で処理されていた。水処理施設で除去された汚染物質は、何らかの形で最終処分される必要があった。この浸出水処理方法によれば、吸着マットはそのまま埋め殺しにされるため、水処理施設から汚染物質を搬出して埋立処分するといった工程を省くことができる。よって、より簡便かつ安全に汚染物質を処分できる。
【００１４】
本発明は、埋立処分場における浸出水処理システムであって、埋立処分場内に設置され、周壁を貫通する孔部が形成された集水管と、集水管の周囲および集水管内の少なくとも一方に配置され、吸着材と透水性を有する繊維基材とが積層されてなる吸着マットと、を備えることを特徴とする。
【００１５】
この浸出水処理システムによれば、埋立処分場内に埋め立てられた埋立対象物から浸出する浸出水が、集水管の孔部を通じて集水管内に集水される。この浸出水は、汚染物質を含むため、集水管の後段に設置された水処理施設によって処理される。本発明に係る浸出水処理システムでは、集水管の周囲および集水管内の少なくとも一方に配置される吸着マットにより、吸着部が形成される。そして、浸出水を集水する過程において、浸出水は吸着部に接触し、浸出水に含まれる汚染物質が吸着材に吸着される。吸着マットは、吸着材と透水性を有する繊維基材とが積層されてなるため、浸出水は支障なく吸着材に到達する。従って、集水管により集水された後の浸出水においては、汚染物質の含有濃度が低減されている。このようにして、浸出水を集水しつつ汚染物質を除去することにより、後段の水処理施設における汚染物質の処理負荷を低減することができる。
【発明の効果】
【００１６】
本発明によれば、浸出水を集水しつつ汚染物質を除去することにより、後段の水処理施設における汚染物質の処理負荷を低減することができる。
【図面の簡単な説明】
【００１７】
【図１】本発明の一実施形態に係る浸出水処理システムが適用された埋立処分場の全体構成を示す図である。
【図２】集水管の延在方向に沿った断面図である。
【図３】集水管の延在方向に垂直な断面図である。
【図４】本発明の一実施形態に係る浸出水処理方法の処理手順を示すフローである。
【図５】図３中の吸着マットの正面図である。
【図６】図５の吸着マットの層構造を示す断面図である。
【図７】集水管に対する吸着マットの巻きつけ方を示す斜視図である。
【図８】浸出水が集水管内を流通する状態を示す断面図である。
【図９】本発明の他の実施形態に係る浸出水処理システムを示す図であり、集水管の延在方向に沿った断面図である。
【図１０】本発明の更に他の実施形態に係る浸出水処理システムを示す図であり、集水管の延在方向に沿った断面図である。
【図１１】本発明の更に他の実施形態に係る浸出水処理システムを示す図であり、集水管の延在方向に沿った断面図である。
【図１２】（ａ）は、図１１中の集水管内を浸出水が流通する状態を示す断面図であり、（ｂ）は、（ａ）の集水管の外部における浸出水の流れの一例を示す断面図である。
【発明を実施するための形態】
【００１８】
以下、本発明の実施形態について、図面を参照しながら説明する。なお、図面の説明において同一要素には同一符号を付し、重複する説明は省略する。
【００１９】
まず、本実施形態の浸出水処理システムＳが適用される埋立処分場１の概要について説明する。埋立処分場１に埋め立てられる埋立対象物は、特に限定されない。本実施形態の浸出水処理システムＳおよび浸出水処理方法は、特に、自然由来の重金属等が存在する条件での掘削を伴うトンネル工事、造成工事等で発生する掘削土または掘削ずり等を埋め立てる場合に有効である。
【００２０】
図１に示されるように、埋立処分場１は、たとえば山間に形成された谷部に建設される。埋立処分場１には、底部遮水工１２が敷設されている（図３参照）。また、埋立処分場１には、埋め立て後に上部遮水工１１が設けられる。埋立処分場１には、複数の集水管が敷設されている。より詳細には、埋立処分場１には、埋立スペースの底部に設置された幹線としての底部集水管２Ａと、底部集水管２Ａに接続された支線としての底部集水管２Ｂと、底部集水管２Ｂに接続された法面集水管３と、底部集水管２Ａから立ち上がる竪形集水管４とが設置されている。
【００２１】
底部集水管２Ａ、底部集水管２Ｂ、法面集水管３、および竪形集水管４は、埋立処分場１に埋め立てられた廃棄物（埋立対象物）Ｘから浸出する浸出水Ｗｃを集水する。なお、便宜上、廃棄物Ｘから浸出する浸出水を浸出水Ｗｃと表記し、集水管によって集水された浸出水を浸出水Ｗｂと表記し、集水ピット６に貯留された浸出水を浸出水Ｗａと表記する。
【００２２】
次に、浸出水処理システムＳについて説明する。以下の説明では、浸出水処理システムＳが底部集水管２Ａに対して構築される場合について説明するが、底部集水管２Ａ以外の集水管に対して、浸出水処理システムが構築されてもよい。
【００２３】
図１および図２に示されるように、有孔管である底部集水管２Ａは、埋立処分場１の底部において所定の傾斜角度（すなわち勾配）をもって設置されている。底部集水管２Ａは、傾斜角度を有することにより、重力（すなわち自然流下）によって、集水方向Ｄ１に浸出水Ｗｂを流下させる。底部集水管２Ａの直径は、たとえば６００ｍｍ程度である。
【００２４】
底部集水管２Ａ内を流下した浸出水Ｗｂは、埋立スペースに隣接して設けられた集水ピット６に貯留される。集水ピット６に貯留された浸出水Ｗａは、送水ポンプ７により、送水ライン８を通じて水処理施設１０に移送される。水処理施設１０に移送された浸出水Ｗａは、所定の処理（たとえば前処理、凝集沈殿処理、生物分解処理等）を施されることにより浄化される。
【００２５】
廃棄物Ｘから浸出する浸出水Ｗｃは、廃棄物Ｘの汚染状態に応じて、種々の汚染物質を含み得る。浸出水処理システムＳが処理対象とする汚染物質としては、たとえば、自然由来の重金属、揮発性有機化合物（ＶＯＣ）、または放射性物質等が挙げられる。重金属としては、たとえば、自然由来の砒素、フッ素、カドミウム、鉛等が挙げられる。揮発性有機化合物としては、たとえばトリクロロエチレンまたはテトラクロロエチレン等が挙げられる。放射性物質としては、たとえばセシウムまたはヨウ素等が挙げられる。
【００２６】
図２および図３に示されるように、浸出水処理システムＳでは、底部集水管２Ａの外周に矩形状の吸着マット２０が巻きつけられることにより、吸着部３０が形成されている。より詳細には、底部集水管２Ａの全周に対して、２枚の吸着マット２０が巻きつけられている。１つの吸着マット２０が底部集水管２Ａの外周の下半分に巻きつけられ、もう１つの吸着マット２０が底部集水管２Ａの外周の上半分に巻きつけられて、番線等の留め具により、これらの吸着マット２０が底部集水管２Ａに固定されている。
【００２７】
図８に示されるように、底部集水管２Ａは、周方向の４箇所において、周壁を貫通する孔部１６を有している。底部集水管２Ａの延在方向においては、複数の孔部１６が等間隔に形成されている。下部の吸着マット２０および上部の吸着マット２０により、４つの孔部１６が覆われている。底部集水管２Ａの周囲には、透水性を確保するため、たとえば砕石１３が敷き詰められている。吸着マット２０は、砕石１３と底部集水管２Ａの孔部１６との間に配設されている。なお、吸着マット２０は、砕石１３と孔部１６との間に配置される場合に限られない。吸着マット２０は、孔部１６を覆っていなくてもよい。吸着マット２０は、浸出水Ｗｃが浸出し集水される一連の流路上に配置されていればよい。
【００２８】
次に、図４を参照して、浸出水処理方法について説明する。本実施形態の浸出水処理方法は、埋立処分場１の建設工程と、埋立処分場１への廃棄物Ｘの埋立工程とを含んでいる。まず、埋立処分場１に集水管が設置される（ステップＳ１）。ここでは、上述した底部集水管２Ａ、底部集水管２Ｂ、法面集水管３および竪形集水管４等が敷設される。次に、底部集水管２Ａの外周に吸着マット２０が配置される（ステップＳ２）。
【００２９】
図５および図６に示されるように、吸着マット２０は、たとえば０．９ｍ×２ｍの長方形状をなしている。吸着マット２０は、吸着材２１、上部シート２２Ａ、下部シート２２Ｂ、および縫糸２３を有する。吸着材２１、上部シート２２Ａ、および下部シート２２Ｂは、縫糸２３により吸着マット２０の幅方向の全体に渡って縫製されている。この縫製は、吸着マット２０の奥行き方向に等間隔で行われる。隣接する縫糸２３同士の間隔としては、吸着材２１の厚さが著しく変化しないように、例えば５〜３０ｃｍ程度の適切な間隔とすることができる。また、吸着マット２０の幅方向及び奥行き方向の端部には、内部に吸着材２１を有していない非吸着部２４が形成されている。吸着マット２０の厚さは、全体にわたり２０〜４０ｍｍ程度とされている。
【００３０】
吸着材２１は、重金属、揮発性有機化合物、および放射性物質のいずれかの吸着特性を有している。重金属の吸着特性を有する吸着材２１としては、たとえば、ゼオライトまたは水酸化鉄系粒状吸着材（例えば、KAT  Beads（株式会社アムロン））等が挙げられる。ＶＯＣの吸着特性を有する吸着材２１としては、たとえば、活性炭またはゼオライト等が挙げられる。放射性物質の吸着特性を有する吸着材２１としては、たとえば、ゼオライト等（放射性物質がセシウムである場合）が挙げられる。なお、ゼオライトには天然ゼオライト、人工ゼオライト、合成ゼオライト等の種類があるが、いずれの種類であっても適用可能である。吸着材２１が吸着能力を発揮し得るｐＨは広範囲であるのが好ましい。たとえば、ｐＨ３〜１０において吸着能力を発揮する吸着材２１を用いることができる。吸着材２１の厚さは、１０〜２０ｍｍ程度とされている。吸着材２１は、たとえば粒体である。吸着材２１の粒径は、たとえば５ｍｍ以下であり、比重は１未満である。なお、吸着材２１は、繊維状であってもよく、粉状であってもよい。
【００３１】
上部シート２２Ａおよび下部シート２２Ｂとしては、不織布等の繊維基材が用いられる。上部シート２２Ａおよび下部シート２２Ｂは、吸着材２１が吸着マット２０の外部に漏出しないように、吸着材２１を挟み込むように配置される。下部シート２２Ｂは、たとえば上部シート２２Ａよりも厚くなっている。なお、下部シート２２Ｂは、上部シート２２Ａと同じ厚さか、または上部シート２２Ａより薄くてもよい。
【００３２】
このように、吸着マット２０は、不織布等の繊維基材からなる上部シート２２Ａおよび下部シート２２Ｂと、これらの間に配置された吸着材２１とが積層された構造を有している。言い換えれば、吸着マット２０は、吸着材２１が上部シート２２Ａと下部シート２２Ｂとによって挟まれた、サンドイッチ構造を有する。上部シート２２Ａおよび下部シート２２Ｂは、所定の透水性を有しており、浸出水Ｗｃを抵抗なく透過させるようになっている。一方、吸着材２１も所定の透水性を有しており、浸出水Ｗｃを抵抗なく透過させるようになっている。吸着マット２０全体として、透水性は、たとえば１０−４ｍ／ｓ程度である。吸着マット２０の透水性は、土層の透水性よりも大きい。
【００３３】
ステップＳ２では、図７に示されるように、縫糸２３の延在方向が底部集水管２Ａの延在方向（すなわち集水方向Ｄ１）に沿うようにして、吸着マット２０が巻きつけられる。このとき、吸着マット２０の下部シート２２Ｂを外周側にして、上部シート２２Ａが底部集水管２Ａの外周面に当接するようにして、吸着マット２０が巻きつけられる。底部集水管２Ａの外周の下半分および上半分に、各１枚の吸着マット２０を巻きつけ、番線等の留め具により、これらの吸着マット２０を底部集水管２Ａに固定する。吸着マット２０は、底部集水管２Ａの全長にわたって巻きつけられる（図２参照）。このようにして、浸出水Ｗｃ（および浸出水Ｗｂ）に含まれる汚染物質を吸着除去するための吸着部３０が形成される。
【００３４】
なお、底部集水管２Ａの全長にわたって吸着マット２０が巻きつけられる場合に限られず、底部集水管２Ａの延在方向の一部にのみ吸着マット２０を巻きつけてもよい。たとえば、底部集水管２Ａの最下流部にのみ、吸着マット２０を巻きつけることにより吸着部３０を形成してもよい。
【００３５】
吸着マット２０を設置することにより吸着部３０を形成したら、廃棄物Ｘを埋め立てる（ステップＳ３）。より詳細には、底部集水管２Ａの周囲には、砕石１３（図８参照）等を充填した後に、その上から廃棄物Ｘを埋め立てる。
【００３６】
続いて、降雨等により廃棄物Ｘから浸出してくる浸出水Ｗｃを、底部集水管２Ｂ、法面集水管３、竪形集水管４、および底部集水管２Ａによって、それぞれの孔部１６を通じて集水する（ステップＳ４）。浸出水Ｗｃが底部集水管２Ａ内に流入し、浸出水Ｗｂが底部集水管２Ａ内を流下する間、ステップＳ２で形成された吸着部３０により、浸出水Ｗｃ（および浸出水Ｗｂ）に含まれる汚染物質が吸着マット２０の吸着材２１に吸着される。なお、図８に示す例では、浸出水Ｗｂが底部集水管２Ａの流路Ｐの半分以上を占めているが、浸出水Ｗｂの水位は、埋立処分場１の環境により変動し得る。浸出水Ｗｂの水位が底部集水管２Ａ内で変動したとしても、吸着マット２０の吸着材２１と浸出水Ｗｃ（および浸出水Ｗｂ）との接触状態が維持される限り、吸着マット２０（すなわち吸着部３０）によって汚染物質が吸着される。
【００３７】
廃棄物Ｘの埋め立て終えると（ステップＳ５）、底部集水管２Ａに巻きつけられた吸着マット２０は、すべて埋め殺しにされる。吸着マット２０は、埋め殺しにされた後も、吸着材２１の吸着能力が残存する限り、汚染物質を吸着する機能を維持する。廃棄物Ｘの埋め立て中および埋め立て後にわたり、水処理施設１０における汚染物質の処理不可は低減される。
【００３８】
以上説明した浸出水処理システムＳおよび浸出水処理方法によれば、埋立処分場１内に埋め立てられた廃棄物Ｘから浸出する浸出水Ｗｃが、底部集水管２Ａの孔部１６を通じて底部集水管２Ａ内に集水される。この浸出水Ｗｃは、汚染物質を含むため、底部集水管２Ａの後段に設置された水処理施設１０によって処理される。上記の浸出水処理方法では、底部集水管２Ａの周囲に吸着マット２０が配置されることにより、吸着部３０が形成される。そして、浸出水Ｗｃ，Ｗｂを集水する過程において、浸出水Ｗｃ，Ｗｂは吸着部３０に接触し、浸出水Ｗｃ，Ｗｂに含まれる汚染物質が吸着材２１に吸着される。吸着マット２０の吸着材２１は、透水性を有する不織布製（繊維基材）の上部シート２２Ａと下部シート２２Ｂとによって挟まれているため、浸出水Ｗｃ，Ｗｂは支障なく吸着材２１に到達する。従って、底部集水管２Ａにより集水された後の浸出水Ｗａにおいては、汚染物質の含有濃度が低減されている。このようにして、浸出水Ｗｃ，Ｗｂを集水しつつ汚染物質を除去することにより、後段の水処理施設１０における汚染物質の処理負荷が低減されている。より具体的には、水処理施設１０における手間やコストが低減されている。
【００３９】
特に、埋立処分場１に上部遮水工１１が設置される前に、廃棄物Ｘの搬入が行われた場合には、雨水が埋立処分場１内に浸入することで、水処理施設１０における処理水量が増大し易い。しかし、浸出水処理システムＳを備えることにより、吸着マット２０で汚染物質の流出を防ぐことができ、工事完了後の操業期間よりも多くなりがちな工事期間中の水処理の負荷を減らせる。
【００４０】
また、吸着部３０を形成する工程では、吸着マット２０を底部集水管２Ａの外周に巻きつけることにより、底部集水管２Ａの孔部１６を覆うようにして吸着マット２０が配置される。これにより、集水される浸出水Ｗｂ，Ｗｃと吸着材２１との接触機会が増大し、汚染物質の吸着効率すなわち除去率が高められている。
【００４１】
また、吸着材２１は、重金属、揮発性有機化合物、および放射性物質のいずれかの吸着特性を有する。この場合、埋立処分場１に埋め立てられる廃棄物Ｘの汚染の種類に応じた吸着材２１を採用することにより、適切かつ確実な吸着処理が可能である。
【００４２】
また、廃棄物Ｘが埋め立てられた後、吸着マット２０は埋め殺しにされる。従来、汚染物質を含む浸出水は、水処理施設１０で処理されていた。水処理施設１０で除去された汚染物質は、何らかの形で最終処分される必要があった。上記の浸出水処理方法によれば、吸着マット２０はそのまま埋め殺しにされるため、水処理施設１０から汚染物質を搬出して埋立処分するといった工程が省かれている。よって、より簡便かつ安全に汚染物質を処分できる。しかも、吸着マット２０により、埋立処分場１内に恒久的に汚染物質の封じ込めを行うことができ、溶出または流出のリスクが小さい。
【００４３】
本発明の一実施形態について説明したが、本発明は上記実施形態に限られない。たとえば、図９および図１０に示されるように、吸着部を形成する工程では、底部集水管２Ａの延在方向において吸着部の吸着能力が変化するように吸着マット２０を配置してもよい。吸着部の吸着能力とは、底部集水管２Ａの所定の箇所に対する吸着材２１の量であってもよいし、単位吸着材２１あたりの吸着容量であってもよい。または、吸着マット２０における吸着材２１の充填密度等であってもよい。
【００４４】
たとえば、図９に示されるように、底部集水管２Ａの延在方向の各箇所において、吸着マット２０の枚数を変更してもよい。図９に示される浸出水処理システムＳＡでは、底部集水管２Ａの最下流の位置において、吸着マット２０が３重に巻きつけられており、第１吸着部３１が形成されている。また、第１吸着部３１の上流側では、吸着マット２０が２重に巻きつけられており、第２吸着部３２が形成されている。さらに上流側では、吸着マット２０は１重に巻きつけられており、第３吸着部３３が形成されている。
【００４５】
このように形成された吸着部３０Ａにおける吸着能力は、第１吸着部３１において最も高くなっており、これに次いで、第２吸着部３２において高くなっている。
【００４６】
このような浸出水処理システムＳＡおよび浸出水処理方法によれば、底部集水管２Ａの延在方向の位置に応じて、集水される浸出水Ｗｃ，Ｗｂの汚染物質の濃度は異なる場合でも、汚染物質をより効果的に吸着除去することができる。たとえば、廃棄物Ｘの汚染の度合いが高いと見込まれる領域に、より多くの吸着材２１が配置されるよう、吸着マット２０の枚数を増やすといったこともできる。
【００４７】
さらに、上記のように、底部集水管２Ａを流下する浸出水量が大きい箇所（最下流部）ほど吸着部３０Ａの吸着能力が高くなるように吸着マット２０を配置することにより、浸出水量が大きい箇所ほど吸着部３０Ａの吸着能力が高められる。すなわち、最も高い吸着能力を有する第１吸着部３１が、浸出水量が大きい最下流部に形成されている。これにより、汚染物質をより効果的に吸着除去することができる。
【００４８】
また、別の観点に立てば、浸出水処理システムＳＡでは、底部集水管２Ａの集水方向Ｄ１の上流側に比して、集水方向Ｄ１の下流側において吸着部３０Ａの吸着能力が高くなるように吸着マット２０を配置している。すなわち、吸着部３０Ａでは、集水方向Ｄ１の最下流部に第１吸着部３１を設け、上流側に向かうに連れて（第２吸着部３２、第３吸着部３３の順に）、吸着能力が小さくなっていく。集水方向Ｄ１に浸出水Ｗｃ，Ｗｂを集水する場合、下流側ほど浸出水量は大きくなる。集水方向Ｄ１の上流側に比して、下流側の方において吸着部３０Ａの吸着能力が高められることにより、汚染物質をより効果的に吸着除去することができる。
【００４９】
また、図１０に示される浸出水処理システムＳＢでは、底部集水管２Ａの最下流の位置において、吸着マット２０が底部集水管２Ａの外周と内部とに配置された第１吸着部３１Ｂが形成されている。この場合、底部集水管２Ａを接続する前の段階において、底部集水管２Ａ内に吸着マット２０を敷設しておく。集水方向Ｄ１におけるその他の箇所では、底部集水管２Ａの外周に吸着マット２０が１重に巻きつけられており、第２吸着部３２Ｂが形成されている。
【００５０】
このような第１吸着部３１Ｂと第２吸着部３２Ｂとを有する吸着部３０Ｂによっても、上記した吸着部３０Ａと同様の作用・効果が奏される。なお、吸着マット２０は透水性が高められているので、底部集水管２Ａ内に配置したとしても、浸出水Ｗｂの流下を妨げることはない。
【００５１】
吸着マット２０は、底部集水管２Ａに巻きつけられる場合に限られず、底部集水管２Ａに挟み込んでもよい。吸着マット２０は、底部集水管２Ａの全周を覆う場合に限られず、底部集水管２Ａの下部のみに配置されてもよい。浸出水Ｗｂが底部集水管２Ａの下部に溜まって底部遮水工１２の上部を流れる場合、底部集水管２Ａの下部に吸着マット２０を配置するのが有効である。底部集水管２Ａと吸着マット２０との間にスペーサを設けてもよい。
【００５２】
図１１は、浸出水処理システムＳＣを示す図であり、集水管の延在方向に沿った断面図である。図１１に示される浸出水処理システムＳＣにおいて、吸着マット２０は、底部集水管２Ａの下半部の外周に巻き付けられている。言い換えれば、吸着部３０Ｃは、底部集水管２Ａの下半部の外周側に形成されている。
【００５３】
具体的には、図１２（ａ）に示されるように、底部集水管２Ａには、その下半部において周壁を貫通する複数の孔部１６が設けられている。すなわち、孔部１６は、底部集水管２Ａの上半部には設けられていない。孔部１６は、底部集水管２Ａを上下に２等分する仮想平面よりもやや下方に設けられており、水平方向より少し下を向くように配置されている。底部集水管２Ａの延在方向においては、複数の孔部１６が等間隔に形成されている。吸着マット２０が底部集水管２Ａの下半部のみの外周に設けられていることにより、吸着部３０Ｃが形成されている。すなわち、底部集水管２Ａの上半部には、吸着部３０Ｃが形成されていない。
【００５４】
底部集水管２Ａの下半部において、吸着マット２０は、孔部１６を覆わないように配置されている。なお、吸着マット２０は、孔部１６同士の間のみに配置されているが、吸着マット２０は、孔部１６に対応する位置に形成された貫通孔を有するように、底部集水管２Ａの下半部の外周に配置されてもよい。また、吸着マット２０は、底部集水管２Ａの外周から離れて配置されてもよいし、底部集水管２Ａより下側に配置されてもよい。このように、吸着マット２０は、底部集水管２Ａの周囲において、孔部１６を覆わないように配置されている。
【００５５】
図１２（ｂ）は、底部集水管の外部における浸出水の流れの一例を示す断面図である。降雨等により廃棄物Ｘから浸出してくる浸出水Ｗｃは下方に流動する。このとき、底部集水管２Ａの上部から流下した浸出水Ｗｃは、底部集水管２Ａの外周に沿って流動し（図１２（ｂ）に示される方向Ｆ参照）、底部遮水工１２の上部に溜まる。底部遮水工１２の上部の浸出水Ｗｃは、孔部１６を通じて底部集水管２Ａの内部に流入する（図１２（ｂ）に示される方向Ｇ参照）。底部遮水工１２の砕石１３の間に溜まった浸出水Ｗｃの水位は、孔部１６の位置とほぼ同じになる（図１２（ｂ）に示される灰色の部分参照）。底部集水管２Ａ内の浸出水Ｗｂの水位は、孔部１６とほぼ同じ又は下方に維持される。
【００５６】
このように、浸出水処理システムＳＣにおいて、孔部１６及び吸着マット２０は、底部集水管２Ａの下半部のみに設けられている。そのため、流下した浸出水Ｗｃは、底部遮水工１２の上部に溜まって、浸出水Ｗｃと吸着マット２０とが十分に接触できる。よって、吸着部３０Ｃによる吸着性能が十分に発揮される。また、吸着マット２０は孔部１６を覆わないように配置されている。よって、浸出水Ｗｃとともに土壌等が流下した場合であっても、吸着マット２０の目詰まりが生じにくい。そのため、底部集水管２Ａの十分な集水機能を維持できる。
【００５７】
また、吸着した汚染物質の再溶出をより確実に防ぐため、吸着マット２０近傍のｐＨを調整する機構を備えてもよい。吸着マット２０自体にｐＨ調整機能を付与してもよい。また、吸着マット２０の目詰まり対策として、集水ピット６の浸出水Ｗａを集水方向Ｄ１とは逆方向に圧送し、逆洗を行うようにしてもよい。
【００５８】
集水管は、勾配を有する場合に限られない。すなわち、集水管は傾斜角度を有していなくてもよい。自然流下で浸出水を集水する場合に限られず、ポンプによって、集水方向に浸出水を集水する形態を採ってもよい。集水管は、深さ方向に複数本設けられてもよい。埋立対象物は廃棄物Ｘに限られず、土壌または岩石等であってもよい。
【符号の説明】
【００５９】
１…埋立処分場、２Ａ…底部集水管、１０…水処理施設、１６…孔部、２０…吸着マット、２１…吸着材、２２Ａ…上部シート（繊維基材）、２２Ｂ…下部シート（繊維基材）、３０，３０Ａ，３０Ｂ，３０Ｃ…吸着部、Ｄ１…集水方向、Ｓ，ＳＡ，ＳＢ，ＳＣ…浸出水処理システム、Ｗａ，Ｗｂ，Ｗｃ…浸出水、Ｘ…廃棄物（埋立対象物）。
【図１】
2015127045.tif 000003
【図２】
2015127045.tif 000004
【図３】
2015127045.tif 000005
【図４】
2015127045.tif 000006
【図５】
2015127045.tif 000007
【図６】
2015127045.tif 000008
【図７】
2015127045.tif 000009
【図８】
2015127045.tif 000010
【図９】
2015127045.tif 000011
【図１０】
2015127045.tif 000012
【図１１】
2015127045.tif 000013
【図１２】
2015127045.tif 000014